(57)【要約】【課題】電気泳動型表示ディスプレイにおいて、画面の大きさにかかわらず、非駆動部分の目立つことのない視認性に優れた表示ディスプレイを提供することを目的とする。【解決手段】本発明は、出力電極支持層と、出力電極と、画像表示層と、透明電極と、透明基材とを含み、少なくともこの順に積層された電気泳動表示装置であって、出力電極と画像表示層との間に少なくとも中継基板層を設けることを特徴とする電気泳動表示装置であり、画像表示層の非駆動領域を小さくすることが出来る。【選択図】  図２
2007271647.tif 000002
【特許請求の範囲】
【請求項１】
少なくとも、出力電極支持層と、出力電極と、画像表示層と、透明電極と、透明基材とを備え、この順に積層された電気泳動表示装置であって、
出力電極と画像表示層との間に少なくとも中継基板層を備えること
を特徴とする電気泳動表示装置。
【請求項２】
請求項１に記載の電気泳動表示装置であって、
前記中継基板層は前記出力電極側に中継電極を、前期画像表示層側に画素電極を、それぞれ一つ又は複数備え、
一又は複数の中継電極と画素電極はそれぞれ対となって電気的に１対１で接続されていること
を特徴とする電気泳動表示装置。
【請求項３】
請求項２に記載の電気泳動表示装置であって、
前記中継基板層に画素電極がアレイ状に設けられていること
を特徴とする電気泳動表示装置。
【請求項４】
請求項２または３のいずれかに記載の電気泳動表示装置であって、
前記中継基板層が備える画素電極は、その最外周の画素電極が出力電極支持層の最外周に対応する位置に設けられていること
を特徴とする電気泳動表示装置。
【請求項５】
請求項１から４のいずれかに記載の電気泳動表示装置であって、
中継基板層に設けられた中継電極の接地面積の大きさは出力電極の接地面積の大きさ以上であること
を特徴とする電気泳動表示装置。
【請求項６】
請求項１から５のいずれかに記載の電気泳動表示装置であって、
中継基板層と画像表示層の間に表示面接着層を備え、
該表示面接着層は導電性化合物を含むフリンジ層であること
を特徴とする電気泳動表示装置。
【請求項７】
請求項１から６のいずれかに記載の電気泳動表示装置であって、
画像表示層が黒色粒子、白色粒子、分散溶媒を内包するマイクロカプセルによって形成されていること
を特徴とする電気泳動表示装置。
【請求項８】
少なくとも、出力電極支持層と、出力電極と、中継基板層と、画像表示層と、透明電極と、透明基材とを備え、この順に積層された電気泳動表示装置の製造方法であって、
少なくとも、透明基材と、透明電極と、画像表示層とを含む積層体と、中継基板層とを貼り合わせる工程と、
前記中継基板層と前記積層体を貼り合わせたものの非駆動部分を除去する工程と、
少なくとも、出力電極と、出力電極支持層とを含む積層体と、前記中継基板層を含む積層体とを貼り合わせる工程と
を含み、少なくともこの順で行うこと
を特徴とする電気泳動表示装置の製造方法。
【請求項９】
少なくとも、出力電極支持層と、出力電極と、中継基板層と、画像表示層と、透明電極と、透明基材とを備え、この順に積層された電気泳動表示装置の製造方法であって、
少なくとも、出力電極と、出力電極支持層とを含む積層体と、中継基板層とを貼り合わせる工程と、
前記中継基板層と前記積層体を貼り合わせたものの非駆動部分を除去する工程と、
少なくとも、透明基材と、透明電極と、画像表示層とを含む積層体と、前記中継基板層を含む積層体とを貼り合わせる工程と
を含み、少なくともこの順で行うこと
を特徴とする電気泳動表示装置の製造方法。
【発明の詳細な説明】
【技術分野】
【０００１】
本発明はマイクロカプセルで代表される画素電極と透明電極の間に電界を発生させることにより電気泳動する電気泳動素子の電気泳動により表示が変化する電気泳動表示装置およびその製造装置に関するものである。
【背景技術】
【０００２】
電気泳動現象を利用した表示装置の一つとして、マイクロカプセル型電気泳動式表示装置が提案されている。この方式の表示装置は、透明溶媒が満たされたマイクロカプセル中に正・負に帯電した黒い粒子と白い粒子を入れ、外部電圧の印加によってそれぞれの粒子を表示面に引き上げて画像を形成するものである。マイクロカプセル型電気泳動方式は画面のマイクロカプセルの粒径は数十μｍ〜数百μｍであり、このマイクロカプセルを透明なバインダに分散させると、インクのようにコーティングすることができる。
【０００３】
また、透明電極を形成した透明基材に前記マイクロカプセルをバインダに分散させたインクをコーティングし、アクティブマトリクス駆動用の電極回路を形成した基板に貼り合わせると、アクティブマトリクス電気泳動式表示装置を得ることができる。（特許文献１参照）
【０００４】
ここで、透明基材に透明電極を形成し、透明電極上にカプセルをコーティングした部品を「前面板」と呼び、この前面板と接着剤を介して接合される、電極回路等を形成した基板を「背面板」と呼んでいる。
【０００５】
アクティブマトリックス駆動用の電極回路を形成した背面板の構造としては、配線基板の片側にそれ自身が画素となる電極が形成され、裏面に駆動用のドライバＩＣが設けられ、配線基板内部を通して電気的に接続される。また、マイクロカプセル型電気泳動式表示装置の特徴から、ダイレクトドライブ駆動にも適しており、アクティブマトリックス駆動同様、裏面の駆動用のドライバＩＣにより、電気的接続が行える。
【０００６】
マイクロカプセル型電気泳動式表示装置は、厚さが薄く、軽量であること、更には表示の際に消費電力がかからない事（以下、画像保持特性と呼ぶ）から、様々な広範な用途において実用化が進められている。これらフラットパネル表示装置は、病院や駅等の施設の待合室での情報の伝達用、街頭における広告宣伝用等の大画面の表示用ディスプレイとして用いることが検討されている。
【特許文献１】特開２０００−２２１５４６号公報
【発明の開示】
【発明が解決しようとする課題】
【０００７】
複数のディスプレイを繋ぎ合わせることにより、大画面の表示ディスプレイとして用いる場合、マイクロカプセル型電気泳動表示装置に限らず、個々の表示装置を複数上下左右に並べ、全体を一つの大画面表示としなければならない。
【０００８】
このとき、個々の表示装置周囲には情報表示に寄与しない非表示領域（以下、非駆動領域と呼ぶ）が必ず存在し、それらが並び合う事により、非駆動領域は個々の表示装置周囲にある非駆動領域の幅が２倍となってしまう。
【０００９】
マイクロカプセル型電気泳動表示装置においては、表示層を含む積層体と、駆動部である画素電極及び画素電極支持層からなる積層体とを貼りあわせる事が一般的だが、駆動部である画素電極及び画素電極支持体からなる積層体は製造上の安全性や機械精度により、周辺部において非駆動領域が出てしまう。このため、表示できる情報量が限られてしまうという問題がある。また、特に、複数のディスプレイを繋ぎ合わせて大画面ディスプレイを構築した場合、周囲に非表示部があると表示性能を著しく低下させるという問題がある。
【００１０】
従来の電気泳動表示装置では、図１の様に製造上の理由により、出力電極支持層１のエッジ部分に、出力電極２が無い領域８が存在する。このため、出力電極支持層１と同様の大きさで貼り合わされた接着剤層３と透明電極４、透明基材５に挟まれた画像表示層のエッジ部分においても、画像表示層下に出力電極２が無い。このため出力電極２と透明電極４との間に電圧を印加しても、電界６は出力電極２上にしか発生せず、出力電極２の無いエッジ部分の領域おいては画像表示層内にあるマイクロカプセル等の画像表示素子７は駆動せず、非駆動領域８が出来てしまう。
【００１１】
このようにマイクロカプセル型電気泳動表示装置を並べて用いて大画面表示ディスプレイにした場合、表示装置周囲に存在する非駆動領域によって、その上部に存在するマイクロカプセルが駆動せず、視認性が著しく低下してしまうという問題があった。例えば、大画面全体で白表示をさせた場合、非駆動領域上のマイクロカプセルが駆動せずグレー又は黒表示となってしまう。また、文字や絵が表示装置をまたぐ場合、非駆動領域上のマイクロカプセルが駆動しないため、その部分が目立ち、表示ディスプレイとしての品質、情報の正確さを著しく低下させる。
【００１２】
本発明は、上記課題を解決し、電気泳動型表示ディスプレイにおいて、画面の大きさにかかわらず、非駆動領域の目立つことのない視認性に優れた表示ディスプレイを提供することにある。
【課題を解決するための手段】
【００１３】
請求項１に記載の本発明は、少なくとも、出力電極支持層と、出力電極と、画像表示層と、透明電極と、透明基材とを備え、この順に積層された電気泳動表示装置であって、出力電極と画像表示層との間に少なくとも中継基板層を備えることを特徴とする電気泳動表示装置である。
【００１４】
請求項２に記載の本発明は、請求項１に記載の電気泳動表示装置であって、前記中継基板層は前記出力電極側に中継電極を、前期画像表示層側に画素電極を、それぞれ一つ又は複数備え、一又は複数の中継電極と画素電極はそれぞれ対となって電気的に１対１で接続されていることを特徴とする電気泳動表示装置である。
【００１５】
請求項３に記載の本発明は、請求項２に記載の電気泳動表示装置であって、前記中継基板層に画素電極がアレイ状に設けられていることを特徴とする電気泳動表示装置である。
【００１６】
請求項４に記載の本発明は、請求項２または３のいずれかに記載の電気泳動表示装置であって、前記中継基板層が備える画素電極は、その最外周の画素電極が出力電極支持層の最外周に対応する位置に設けられていることを特徴とする電気泳動表示装置である。
【００１７】
請求項５に記載の本発明は、請求項１から４のいずれかに記載の電気泳動表示装置であって、中継基板層に設けられた中継電極の接地面積の大きさは出力電極の接地面積の大きさ以上であることを特徴とする電気泳動表示装置である。
【００１８】
請求項６に記載の本発明は、請求項１から５のいずれかに記載の電気泳動表示装置であって、中継基板層と画像表示層の間に表示面接着層を備え、該表示面接着層は導電性化合物を含むフリンジ層であることを特徴とする電気泳動表示装置である。
【００１９】
請求項７に記載の本発明は、請求項１から６のいずれかに記載の電気泳動表示装置であって、画像表示層が黒色粒子、白色粒子、分散溶媒を内包するマイクロカプセルによって形成されていることを特徴とする電気泳動表示装置である。
【００２０】
請求項８に記載の本発明は、少なくとも、出力電極支持層と、出力電極と、中継基板層と、画像表示層と、透明電極と、透明基材とを備え、この順に積層された電気泳動表示装置の製造方法であって、少なくとも、透明基材と、透明電極と、画像表示層とを含む積層体と、中継基板層とを貼り合わせる工程と、前記中継基板層と前記積層体を貼り合わせたものの非駆動部分を除去する工程と、少なくとも、出力電極と、出力電極支持層とを含む積層体と、前記中継基板層を含む積層体とを貼り合わせる工程とを含み、少なくともこの順で行うことを特徴とする電気泳動表示装置の製造方法である。
【００２１】
請求項９に記載の本発明は、少なくとも、出力電極支持層と、出力電極と、中継基板層と、画像表示層と、透明電極と、透明基材とを備え、この順に積層された電気泳動表示装置の製造方法であって、少なくとも、出力電極と、出力電極支持層とを含む積層体と、中継基板層とを貼り合わせる工程と、前記中継基板層と前記積層体を貼り合わせたものの非駆動部分を除去する工程と、少なくとも、透明基材と、透明電極と、画像表示層とを含む積層体と、前記中継基板層を含む積層体とを貼り合わせる工程とを含み、少なくともこの順で行うことを特徴とする電気泳動表示装置の製造方法である。
【発明の効果】
【００２２】
本発明は、出力電極を備えた出力電極支持層と画像表示層との間に、少なくとも、中継電極と画素電極を備えそれぞれの電極が各々１対１となるように電気的設置された中継基板層を設ける。これにより、出力電極支持層上の出力電極より印加された電圧によって発生した電界は、中継基板層の中継電極を通じて、対となった画素電極の範囲まで拡大する。このため、画像表示層の非駆動領域の画像表示素子にも電界がかかるため、非駆動領域を小さくすることが出来る。
【００２３】
これにより、非駆動領域の目立つことのない視認性に優れた表示ディスプレイを提供することが可能となる。また、表示領域の周辺に非表示の枠の部分が小さい。これによって、区切りが目立たないため、複数ならべて一つの画面を構成する用途に適している。
【発明を実施するための最良の形態】
【００２４】
以下、本発明の実施形態について、図面を参照して具体的に説明する。
【００２５】
図２は、本発明の一形態に関わるマイクロカプセル型電気泳動式表示パネルを示した断面図である。即ち、出力電極支持層１、出力電極２上に、接着剤層である接続層１５、表示面接着層１４に挟まれ、出力電極２側、マイクロカプセル表示層７側それぞれに中継電極１０、画素電極１１を持つ中継基板層９、マイクロカプセル表示層７、透明電極層４、透明基材５によりマイクロカプセル型電気泳動式表示パネルが構成されている。  
【００２６】
透明基材５は、観察側であるため、透明でなければならない。また駆動部との接着の際には曲げ加工される場合もあるため、曲げ加工に耐える程度の可撓性を有する物で無ければならない。この様な要求を満たす透明基材５の具体的材質としては、ポリエチレンエテフタレート（ＰＥＴ）、ポリエチレン（ＰＥ）、ポリカーボネート（ＰＣ）、ポリエーテルサルフォン（ＰＥＳ）、ＰＥＮ、トリアセチルセルロース（ＴＡＣ）等の各種樹脂を挙げる事が出来るが、これらに限定される物ではない。
【００２７】
透明電極層４の具体的材質としては、酸化インジウム・スズ（ＩＴＯ）、酸化インジウム・亜鉛（ＩＺＯ）を挙げる事が出来るが、これらに限定される物ではない。
【００２８】
マイクロカプセル表示層７は、表面に透明電極層４が形成されている透明基材５の透明電極層面４の面に、電子インクを印刷することにより形成される。
【００２９】
接着剤層である接続層１５及び表示面接着層１４は感圧接着剤や感熱接着剤を用いる事が出来る。これらは、接着面に剥離紙を有する片面接着テープ又は両面接着テープの形で用いる事が出来る。即ち、表示面接着層１４は片面接着テープの非接着面を接着剤によりマイクロカプセル層７に貼るか、又は両面粘着テープの一方の剥離テープを剥がしてマイクロカプセル層７に貼ることにより形成する事が出来る。これと同様に出力電極支持層１の出力電極２上に接続層１５を介して貼ることにより形成する事が出来る。
【００３０】
前者の感圧接着剤としては、例えば、ポリオールとポリイソシアネートとをヘキサヒドロジメチルアニリン等の触媒の存在下に反応させてなるウレタンプレポリマーと、劣化防止剤とで構成されるウレタン樹脂粘着剤を挙げる事が出来る。ポリオールとしては、ポリエステルポリオール、ポリエーテルポリオール等が用いられ、また、ポリイソシアネートとしては、芳香族ポリイソシネート、脂肪族ポリイソシアネート、ジフェニルメタンジイソシアネート、ポリエチレンポリフェニレンポリイソシアネート、トリジンジイソシアネート、ポリメチレンポリフェニレンポリイソシアネート、トリジンジイソシアネート、ナフタレンジイソシアネート等が用いられる。更にまた、脂肪族ポリイソシアネートとしては、例えばヘキサメチレンジイソシアネート、イソホロンジイソシアネート、キシレンジイソシアネート、ジシクロヘキシルメタンジイソシアネート等が用いる事が出来るが、これに限定される物ではない。
【００３１】
また、後者の感熱接着剤としては、例えばヒートシール性に優れた樹脂としての直鎖低密度ポリエチレン（ＬＬＤＰＥ）、低密度ポリプロピレン（ＬＤＰＥ）、高密度ポリエチレン（ＨＤＰＥ）、無延伸ポリプロピレン（ＣＰＰ）等からなる厚さ５０μ程度のポリオレフィン系のフィルムを好適に用いる事が出来るが、これに限定される物ではない。
【００３２】
但し、これらのポリオレフィン系の樹脂のみでは接着強度と剥離強度のバランスが取れない事があるので、例えば、これらのポリオレフィン系樹脂に更にポリスチレンやポリブデン等の、ポリオレフィン系樹脂に対し不相溶性成分を混合する事も出来、これらの混合樹脂の溶融物を押し出して易剥離性の接着剤層とすることも出来る。また、エチレン一酢酸ビエル共重合樹脂等からなるホットメルト接着剤を用いることも可能であるが、これに限定される物ではない。
【００３３】
本発明の中継基板層９にある画素電極１１とマイクロカプセル層７間にある表示面接着層１４はフリンジ層である事が好ましい。また、中継基板層９にある中継電極１０と出力電極２間の接続層１５に用いられる接着剤と異なる構成を有する接着剤を用いることが出来るが、画像表示性能などの観点から同様の接着剤を使用する事がより好ましい。
【００３４】
ここで、フリンジとは、電界の広がりを示す事であることとする。
【００３５】
表示面接着層１４に用いられる接着剤の体積抵抗率は、１×１０８Ω・ｃｍ〜１×１０１１Ω・ｃｍの範囲であることが好ましい。表示面接着剤層１４に用いられる接着剤の体積抵抗率が、１×１０１１Ω・ｃｍを超える場合、本発明の効果であるフリンジが十分に得られなくなってしまうことがある。また、表示面接着剤層１４に用いられる接着剤の体積抵抗率が、１×１０８Ω・ｃｍに満たない場合、フリンジが大きくなりすぎてしまい、シャープな画像が得られず、にじんだような画像となってしまうことがある。なお、より好ましくは、１×１０９Ω・ｃｍ〜１×１０１０Ω・ｃｍである。
【００３６】
ここで、体積抵抗率とは、抵抗を単位体積当たりで示した値である。
【００３７】
表示面接着剤層１４には、導電性化合物をドーパントとして混入させることにより、所望の体積抵抗率を有するフリンジ層とすることができる。ドーパントする導電性化合物としては、公知のもので構わないが、ポリアセチレンといった導電性高分子や有機金属化合物を用いることができる。
【００３８】
本発明の中継基板層９は、出力電極２側及びマイクロカプセル表示層７側それぞれに中継電極１０及び画素電極１１を持ち、各電極は、ドリル又はレーザ等により貫通ビア１３が開いており、各々一対となるよう構成されている。また、中継電極１０及び画素電極１１はそれぞれ金メッキ又はハンダにより被覆されているため、貫通ビア１３を通して、電気的に導通している。
【００３９】
また、画素電極１１は中継基板層９上にドットマトリクスの状態で配置される事により、様々な表示に対応することが出来る。さらに画素電極１１間は極力小さい方が表示に影響なく、また表面接着剤層１４がフリンジ層として働くことにより、画素間の目地を目立たなくさせる事が可能である。
【００４０】
また、画素電極１１は中継電極１０よりも一回り大きく作る事により、非駆動領域を小さくすることが出来る。また、非駆動領域を含めた出力電極支持層１の外周と、画素電極１１の外周を同値にする事により、非駆動領域を小さくすることが出来る。出力電極２の総数や、非駆動領域の大きさにより、画素電極１１の外周を出力電極支持層１の外周よりも大きくする事が出来るが、製造やコスト、表示体としての安全性確保等の観点から、画素電極１１及び出力電極支持層の外周を同値にする事が好ましい。
【００４１】
中継基板層９に関しても非駆動領域は存在する。しかしながら、中継電極１０と画素電極１１は貫通ビア１３による電気的導通のため、非駆動領域に関して、断裁機による断裁やレーザによる断裁を行う事により、画素電極１１を傷つけることなく断裁する事が出来、非駆動領域を最小限に抑える事が出来る。
【００４２】
中継基板層９は、一般的な基板基材であるＦＲ４、ＦＲ５等により作成する事も可能だが、非駆動領域の断裁による製造のため、ポリイミド樹脂を用いた、フレキシブル基板を用いる事がより好ましい。
【００４３】
中継基板層９の非駆動領域の断裁は、中継基板層９と、透明基材５、透明電極層４、マイクロカプセル表示層７からなる積層体とを、フリンジ層効果を持つ表示面接着層１４により張り合わせた後、断裁機又はレーザ等により行う。この後、出力電極支持層１上の出力電極２と接続層１５を介して張り合わせることにより、中継基板層９の画素電極１１が非駆動領域を含めた出力電極支持層１の外周と同値となる。このため、任意の出力電極２と任意の中継電極１０の位置制御が可能となる。
【００４４】
また、出力電極支持層１上の出力電極２に中継基板層９を接続層１５により張り合わせた後、断裁機又はレーザ等により非駆動領域を切断してもよい。これにより、中継基板層９の画素電極１１が非駆動領域を含めた出力電極支持層１と外周が同値となる。このため、切断の際、誤って画素電極１１を傷つけることなく断裁する事が可能となる。
【００４５】
図３に示す出力電極支持層１の詳細図において、出力電極支持層１の画像表示層側には、出力電極２が多数配置されており、出力電極２間は画素間ギャップにより導通しないよう構成されている。また出力電極２は、出力電極支持層１裏面にあるドライバＩＣ１６の出力端と１対１で電気的に接続されている。また、透明基材５に形成された透明電極層４とドライバＩＣ１６の共通電極１７が接続されており、透明電極層４は、全面を同一の電位とする事が出来る。
【００４６】
前記透明電極層４とドライバＩＣ１６の共通電極１７の接続は、銀ペーストのような金属ペースト又は、金属箔を用いる事が出来るがそれに限るものではない。
【００４７】
次に、以上のようにして得たマイクロカプセル型電気泳動式表示装置において、透明基材５上に防眩ハードコート層、紫外線吸収層、及びガスバリア層からなる群から選ばれた少なくとも１種の機能層を含む層を設ける事でより好ましいマイクロカプセル型電気泳動式表示装置が得られる。
【００４８】
以上説明したマイクロカプセル型電気泳動式表示装置において、マイクロカプセル表示層７は電子インクを印刷する事により形成され、図４に示すように、カプセル殻１８内部に酸化チタンからなる白色粒子１９とカーボンブラックからなる黒色粒子２０が、シリコーンオイル等の粘性の高い分散溶媒２１に分散された状態で封入された物である。白色粒子１９である酸化チタンは負電荷を帯びており、一方、黒色粒子２０であるカーボンブラックは正電荷を帯びている。
【００４９】
このようなマイクロカプセルを含むマイクロカプセル型電気泳動方式を用いた表示装置は、つぎのようにして動作する。
【００５０】
即ち、図２及び図３に示すように、出力電極２に電界を印加した際、中継基板層９の中継電極１０、貫通ビア１３を介して、同電界が画素電極１１に印加され、透明基材５に形成された透明電極層４との間に電界が生じる。透明電極層４を負極、出力電極２を正極とした場合、正に帯電した白色粒子１９が透明電極層４側に引かれ、負に帯電した黒色粒子２０は出力電極２と同電位に帯電した、画素電極１１側に引かれるので、透明電極層４側の上方から観察するとその部分が白く見える。
【００５１】
逆に、透明電極層４が正極で、出力電極２が負極になった場合には、正に帯電した白色粒子１９が画素電極１１側に引かれ、黒色粒子２０は透明電極層４側に引かれるので、透明電極層４側の上方から観察するとその部分が黒く見えることになる。
【００５２】
マイクロカプセル表示層７は、マイクロカプセル２２を多数含んでおり、透明電極層４を同一電位の共通電極とし、出力電極２をドライバＩＣ１６で各アドレス電極の電界を制御する事で、上述の原理に基づきマイクロカプセル２２内の粒子を移動させる事で、所望の文字や図形を白と黒の画素として表示させる事が出来る。
【００５３】
同様に、出力電極２を共通電極とし（電位をゼロとする）、透明電極層４側つまりはドライバＩＣ１６の共通電極１７の各アドレス電極の電界を制御する（正または負の電位を与える）ことで、電極位置のマイクロカプセル２２内の粒子を移動させて、所望の画像を表示させるようにしても良い。
【００５４】
マイクロカプセル型電気泳動方式を用いた表示体の駆動方法において、透明電極層４及び画素電極２は画素電極支持層１裏面に取り付けられたドライバＩＣ１６により制御される。また前記透明電極層４はドライバＩＣ１６の共通電極１７に接続される事により、全面を同一の電位とする事が出来る。
【００５５】
以上説明したように、マイクロカプセル型電気泳動式表示装置の製造について、中継基板層９を接着剤層である接続層１５、表示面接着層１４内に組み込む事により、出力電極支持層１では製造上難しかった非駆動領域を小さく抑えることができる。これにより、複数のマイクロカプセル型電気泳動式表示装置を用いた大画面表示装置においても、非駆動領域が目立つ事のない、優れた表示性能があり、情報を正確に伝える表示装置を得る事が出来る。
【産業上の利用可能性】
【００５６】
本発明の反射型ディスプレイ用表示パネルなどの電気泳動表示装置ならびにその製造方法により、非駆動領域が最小限に抑えられ、優れた表示性能を持ち、情報を正確に伝える反射型ディスプレイ用表示パネルを得る事が出来、個々の表示装置を小さくする事により小スペースから大画面まで、おける情報伝達のための表示パネルとしての様々な用途に広範に利用可能である。
【図面の簡単な説明】
【００５７】
【図１】従来のマイクロカプセル型電気泳動表示パネルを示す断面図である。
【図２】本発明の一形態に係るマイクロカプセル型電気泳動式表示パネルを示す断面図である。
【図３】本発明の一形態に係るマイクロカプセル型電気泳動式表示パネル駆動部分の断面図である。
【図４】本発明の一形態に係るマイクロカプセル型電気泳動式表示パネルのマイクロカプセル表示層に含まれるマイクロカプセルを模式的に示す断面図である。
【符号の説明】
【００５８】
１  出力電極支持層
２  出力電極
３  接着剤層
４  透明電極層
５  透明基材
６  電界１
７  マイクロカプセル層
８  非駆動領域
９  中継基板層
１０  中継電極
１１  画素電極
１２  電界２
１３  貫通ビア
１４  表示面接着層
１５  接続層
１６  ドライバＩＣ
１７  共通電極
１８  カプセル殻
１９  白色粒子
２０  黒色粒子
２１  分散溶媒
２２  マイクロカプセル
【図１】
2007271647.tif 000003
【図２】
2007271647.tif 000004
【図３】
2007271647.tif 000005
【図４】
2007271647.tif 000006